(57)【要約】【課題】本発明は本体ケースに対してディスプレイ開閉、回動可能に設けた電子機器に関するもので、ディスプレイを異物などにぶつけて損傷させるのを、抑制することを目的とする。【解決手段】そして、この目的を達成するために本発明は、回動軸体８を構成する回動軸１０の外周部分には、ディスプレイ４の閉成位置以外の部分における傾斜操作時に、このディスプレイ４の外周部に当接する環状の損傷防止体１３を設けた。このため、ディスプレイ４を開放し、続いてディスプレイ４を回動させた状態で、これを下方に傾斜した場合でも、このディスプレイ４の外周部が損傷防止体１３に当接し、それ以上の傾斜操作が阻止されるので、ディスプレイ４を異物などにぶつけて、それを損傷させるのを、抑制することができる。【選択図】図８
2015119920.tif 000002
【特許請求の範囲】
【請求項１】
本体ケースと、
前記本体ケースの一面を覆うように前記本体ケース対して開閉可能且つ、開放状態で前記本体ケースに対して回動可能となったディスプレイとを備え、
前記本体ケースの前記ディスプレイ側の面に回動軸体を設けるとともに、前記回動軸体と前記ディスプレイの一方には開閉軸、他方には前記開閉軸の軸受けを設け、
前記回動軸体を構成し、一部が前記本体ケース内側に突入された回動軸の外周部分に、前記ディスプレイの閉成位置以外の部分における傾斜操作時に、前記ディスプレイの外周部に当接する環状の損傷防止体を設けた電子機器。
【請求項２】
前記損傷防止体の、前記ディスプレイの閉成位置には切欠部を設けた請求項１に記載の電子機器。
【請求項３】
前記ディスプレイの本体ケース側の辺に直線部を設けるとともに、前記切欠部は、前記ディスプレイの閉成時に前記直線部が非当接状態となる形状とした請求項２に記載の電子機器。
【請求項４】
前記切欠部を直線形状とした請求項３に記載の電子機器。
【請求項５】
前記損傷防止体は、前記ディスプレイの外周部分に設けた外周フレームよりも柔らかい材料によって形成した請求項１から４のいずれか一つに記載の電子機器。
【請求項６】
前記損傷防止体をゴム又は合成樹脂によって形成し、前記ディスプレイの外周フレームを金属によって形成した請求項５に記載の電子機器。
【請求項７】
前記ディスプレイの本体ケース側の辺には前記回動軸体の収納部を設けた請求項１から６のいずれか一つに記載の電子機器。
【発明の詳細な説明】
【技術分野】
【０００１】
本発明は、医療分野に用いられ、超音波探触子と接続可能な超音波診断装置等の電子機器に関する。
【背景技術】
【０００２】
従来のこの種、電子機器は、本体ケースと、この本体ケースの一面を覆うように前記本体ケース対して開閉可能で、且つ、開放状態で前記本体ケースに対して回動可能となったディスプレイとを備えた構成となっていた（これに類似する先行文献としては、下記特許文献１が存在する）。
【先行技術文献】
【特許文献】
【０００３】
【特許文献１】ＷＯ２０１０−１５０５４１号公報
【発明の概要】
【発明が解決しようとする課題】
【０００４】
上記従来例では、ディスプレイを本体ケースに対して開閉可能としているだけでなく、それを回動させる構成としているので、極めて使い勝手の良いものとなっている。
【０００５】
例えば、ディスプレイを本体ケースに対して開放した状態で、これを回動させれば、自分の周りに居る人々にも、ディスプレイ内の画像を見せることが出来るようになり、極めて使い勝手の良いものとなるのである。
【０００６】
しかしながら、ディスプレイを開放し、続いてディスプレイを回動させた状態で、これを下方に傾斜した場合で、その傾斜下方に、例えば机上の異物などが存在した場合には、その異物にディスプレイを衝突させ、その結果としてディスプレイを損傷させてしまうことがある。
【０００７】
そこで、本発明は、ディスプレイを開放し、続いてディスプレイを回動させた状態で、これを下方に傾斜した場合でも、ディスプレイを損傷させてしまうことを抑制することを目的とするものである。
【課題を解決するための手段】
【０００８】
そして、この目的を達成するために本発明は、本体ケースのディスプレイ側の面に回動軸体を設けるとともに、この回動軸体と前記ディスプレイの一方には開閉軸、他方にはこの開閉軸の軸受けを設け、さらに、前記回動軸体を構成し、その一部が前記本体ケース内側に突入された回動軸の外周部分には、前記ディスプレイの閉成位置以外の部分における傾斜操作時に、このディスプレイの外周部に当接する環状の損傷防止体を設け、これにより所期の目的を達成するものである。
【発明の効果】
【０００９】
以上のように本発明は、本体ケースのディスプレイ側の面に回動軸体を設けるとともに、この回動軸体と前記ディスプレイの一方には開閉軸、他方にはこの開閉軸の軸受けを設け、さらに、前記回動軸体を構成し、その一部が前記本体ケース内側に突入された回動軸の外周部分には、前記ディスプレイの閉成位置以外の部分における傾斜操作時に、このディスプレイの外周部に当接する環状の損傷防止体を設けたものであるので、ディスプレイを開放し、続いてディスプレイを回動させた状態で、これを下方に傾斜した場合でも、デ
ィスプレイを損傷させてしまうことを抑制することができる。
【００１０】
すなわち、本発明では、回動軸体を構成する回動軸の外周部分には、前記ディスプレイの閉成位置以外の部分における傾斜操作時に、このディスプレイの外周部に当接する環状の損傷防止体を設けたものであるので、ディスプレイを開放し、続いてディスプレイを回動させた状態で、これを下方に傾斜した場合でも、このディスプレイの外周部が損傷防止体に当接し、それ以上の傾斜操作が阻止されるので、ディスプレイを異物などにぶつけて、それを損傷させるのを、抑制することができるのである。
【図面の簡単な説明】
【００１１】
【図１】本発明の実施の形態１における電子機器を超音波診断装置に適用した一例を示す斜視図
【図２】同ディスプレイの操作状態の一例を示す斜視図
【図３】同ディスプレイの操作状態の一例を示す斜視図
【図４】同ディスプレイの操作状態の一例を示す斜視図
【図５】同ディスプレイの操作状態の一例を示す斜視図
【図６】同ディスプレイの操作状態の一例を示す斜視図
【図７】同ディスプレイの操作状態の一例を示す斜視図
【図８】同ディスプレイの操作状態の一例を示す一部拡大斜視図
【図９】同ディスプレイの操作状態の一例を示す一部拡大斜視図
【図１０】同電子機器の損傷防止体の一例を示す斜視図
【図１１】同電子機器の一例を示す分解斜視図
【図１２】同ディスプレイの操作状態の一例を示す斜視図
【図１３】同ディスプレイの操作状態の一例を示す側面図
【図１４】同ディスプレイの操作状態の一例を示す斜視図
【図１５】同ディスプレイの損傷防止体の一例を示す側面図
【発明を実施するための形態】
【００１２】
以下、本発明の実施の形態１における電子機器を超音波診断装置に適用したものを、添付図面を用いて説明する。
（実施の形態１）
図１に示すごとく、電子機器の一例として用いた超音波診断装置１は、キャスター２に載せられ、診断場所に自由に移動することが出来るようになっている。
【００１３】
この超音波診断装置１は、薄い箱状の本体ケース３と、この本体ケース３の一面を覆うように、同、本体ケース３対して開閉可能となったディスプレイ４とを備え、前記本体ケース３のコネクターには、超音波プローブ（図示せず）のコネクター部５がケーブルを介して接続されるようになっている。
【００１４】
前記ディスプレイ４は、非使用に時には、図２のごとく、前記本体ケース３の上面（一面の一例）に対して閉成状態となっているが、使用時には、図３から図４のごとく徐々に開放し、続いて、図５、図６のごとく回動し、その表示部６が本体ケース３の上面に設けた操作部７に対向させた状態とすることができる。また、図６の状態ではディスプレイ４を図７のごとく後方に傾斜させ、操作部７を操作するときに表示部６を目視しやすい状態とすることができる。また、図７の状態でこのディスプレイ４を後方に倒して本体ケース３の上面に水平状態として使用することもできる。
【００１５】
これらの説明から理解されるようにディスプレイ４は本体ケース３に対して開閉させたり回動させたりすることができる。そしてこのような開閉動作や回動動作を行わせるために本実施形態では、図８、９に示すように、本体ケース３のディスプレイ４側の面に回動
軸体８を設けている。図８は本体ケース３及びディスプレイ４の接続部付近を拡大した図であり、図９は図８における回動軸体８のケースを取り外したときの図である。回動軸体８は、前記本体ケース３に設けた軸受け９に軸支された回動軸１０を備えており、これによりディスプレイ４は図９の軸Ａを中心に回動する構成となっている。
【００１６】
また、この回動軸体８とディスプレイ４の一方には、図９で示す軸Ｂを中心に開閉するための開閉軸１１、他方にはこの開閉軸１１の軸受け１２を設けている。
【００１７】
従って、ディスプレイ４を図２から図４又は図６から図７のごとく開閉させるときには、ディスプレイ４は図９に示す軸Ｂを中心に開閉されるようになる。また、ディスプレイ４を図４から図５、図６のごとく回動させるときには、ディスプレイ４は図９に示す軸Ａを中心に回動されるようになる。
【００１８】
このような構成において本実施形態の特徴は、回動軸体８を構成する回動軸１０の外周部分に、ディスプレイ４の閉成位置以外の部分における傾斜操作時に、このディスプレイ４の外周部に当接する図１０に示す環状の損傷防止体１３を設けたことである。図１１は図１０に示す環状の損傷防止体１３を本体ケース３の上に配置した様子を示す図である。損傷防止体１３の位置関係がわかるように、ディスプレイ４をとりはずした分解図としている。
【００１９】
本実施形態において、ディスプレイ４の閉成位置は、図３から図２又は図６から図７に示すごとくディスプレイ４を本体ケース３の上面に向けて傾斜させ、ディスプレイ４を閉じる位置である。
【００２０】
それ以外の位置ではディスプレイ４を所定値以上下方に傾斜させることができない構成としている。
【００２１】
例えば、図１２、図１３はディスプレイ４の表示部６を操作部７側に下降傾斜させた状態を示している。図１３は図１２の電子機器を側面から見た図である。この図１３から理解されるように、本実施形態の特徴はこれら図１２、図１３に示す位置でディスプレイ４を下降傾斜させたとしてもディスプレイ４の表示部６が操作部７の上面に衝突する手前で停止するような構成としている。そのために、本実施形態では、図８から図１１に示すごとく、回動軸体８を構成する回動軸１０の外周部分に、ディスプレイ４の閉成位置以外の部分における傾斜操作時に、このディスプレイ４の外周部に当接する図１０に示す環状の損傷防止体１３を設けた。ここで、本実施形態は、図８に示すようにディスプレイ４の本体ケース３側の辺に回動軸体８を収納する収納部１４を設けた。そして、この収納部１４において、軸Ｂを介して損傷防止体１３とは反対側の辺１５は直線形状とした。また、この辺１５と軸Ｂまでの距離を軸Ｂから損傷防止体１３の外周辺までの距離よりも短くした。このため、図１３に示すごとく、ディスプレイ４の表示部６を操作部７側に向けて下降傾斜させたときには、ディスプレイ４の外周辺である辺１５が損傷防止体１３の上面に当接し、それ以上このディスプレイ４を下降傾斜させることはできない。つまり、図１２、図１３の状態において、ディスプレイ４の表示部６を操作部７に衝突させることを防止でき、その結果としてディスプレイ４の損傷を防止することができるものである。
【００２２】
次に、ディスプレイ４を図５に示す位置で活用後、誤ってディスプレイ４を下降傾斜させてしまった場合について説明する。つまり、図５の状態は例えば超音波画像診断を行っている患者にディスプレイ４の表示部６に映った画像を見せるときなどにこの図５の状態となる。そしてこのような活用が終了後、本来であればディスプレイ４を図４の状態まで回動させ、その後図２に示すごとく閉じられることになる。ところが、図５の状態から図４の状態まで回動させずにディスプレイ４を下降傾斜させると、図１４及び図１５のよう
な状態となる。図１５は図１４の電子機器を側面から見た図である。本実施形態では、図２、図３、図１４から理解されるように本体ケース３の上面の外周には、ディスプレイ４を閉成状態としたときに回動軸体８側を除いてディスプレイ４の外周を包むように外周壁１６を設けている。つまり、図１のごとく超音波診断装置１をキャスター２に載せた状態で診断場所に移動する際に、ディスプレイ４を開放状態とすれば、本体ケース３の上面にはディスプレイ４が閉成状態のときに存在していた箇所に外周壁１６で囲まれた本体収納部１７が形成されることになる。このため、この本体収納部１７に洗浄綿などを載せた状態でキャスター２に載せた超音波診断装置１をそのまま診断場所に移動することができ、極めて使い勝手のよいものとなる。しかし、このように外周壁１６を設けたために図５の状態でディスプレイ４を下降傾斜させると、その表示部６が外周壁１６に衝突する虞れがあるが、本実施形態では、これも図１０に示す損傷防止体１３によってディスプレイ４の下降をこの図１４、図１５の状態で停止させることができる。つまり、ディスプレイ４の表示部６と外周壁１６の間には図１５のごとく隙間が存在した状態でこのディスプレイ４の下降傾斜を停止させることができるものであり、この結果としてディスプレイ４の表示部６の損傷を防止することができるものである。
【００２３】
つまり、損傷防止体１３は環状となっているので、図１４、図１５の状態でも、ディスプレイ４の表示部６を操作部７側に向けて下降傾斜させたときには、ディスプレイ４の外周辺である辺１５が損傷防止体１３の上面に当接し、それ以上このディスプレイ４を下降傾斜させることはできない。つまり、図１４、図１５の状態において、ディスプレイ４の表示部６を外周壁１６に衝突させることが防止でき、その結果としてディスプレイ４の損傷を防止することができるものである。
【００２４】
損傷防止体１３は図１０のごとく、円環状となっているが、この損傷防止体１３には切欠部１８（非当接状態となる形状の一例）を設けている。この切欠部１８は、図１１に示すとおり、ディスプレイ４を閉成状態としたときにディスプレイ４に覆われる部分に形成されている。
【００２５】
図８に示すとおり、ディスプレイ４の本体ケース３側には、収納部１４を設け、軸Ｂを介して損傷防止体１３とは反対側の辺１５は直線形状としており、この直線状の辺１５が損傷防止体１３の上面に当接するので、この直線状の辺１５の形状に合わせて、切欠部１８の内方側（損傷防止体１３の外周よりも回動軸１０側）も図１０及び図１１のごとく直線状とした。ディスプレイ４を閉成状態としたときは、損傷防止体１３のディスプレイ４が覆う部分が切欠部１８となっており、この切欠部１８の直線形状が辺１５と平行となる。
【００２６】
このため、図２、図３のディスプレイ４閉成位置では、ディスプレイ４を下降傾斜させても（閉じても）、ディスプレイ４の外周辺である辺１５は、切欠部１８の上面には当接せず、この結果として、ディスプレイ４を図２のごとく閉成することができるのである。
【００２７】
なお、損傷防止体１３は、前記ディスプレイ４の表示部６外周部分に設けた外周フレーム１９（上記辺１５を含む部分）よりも柔らかい材料によって形成した。
【００２８】
具体的には、損傷防止体１３をゴム又は合成樹脂によって形成し、より具体的にはポリアセタール樹脂で形成し、前記ディスプレイ４の外周フレーム１９を金属によって形成した。
【産業上の利用可能性】
【００２９】
以上のように、本発明では、回動軸体を構成する回動軸の外周部分には、前記ディスプレイの閉成位置以外の部分における傾斜操作時に、このディスプレイの外周部に当接する
環状の損傷防止体を設けたものであるので、ディスプレイを開放し、続いてディスプレイを回動させた状態で、これを下方に傾斜した場合でも、このディスプレイの外周部が損傷防止体に当接し、それ以上の傾斜操作が阻止されるので、ディスプレイを異物などにぶつけて、それを損傷させるのを、抑制することができるのである。
したがって、各種電子機器への活用が期待される。
【符号の説明】
【００３０】
１    超音波診断装置
２    キャスター
３    本体ケース
４    ディスプレイ
５    コネクター部
６    表示部
７    操作部
８    回動軸体
９    軸受け
１０  回動軸
１１  開閉軸
１２  軸受け
１３  損傷防止体
１４  収納部
１５  辺
１６  外周壁
１７  本体収納部
１８  切欠部
１９  外周フレーム
【図１】
2015119920.tif 000003
【図２】
2015119920.tif 000004
【図３】
2015119920.tif 000005
【図４】
2015119920.tif 000006
【図５】
2015119920.tif 000007
【図６】
2015119920.tif 000008
【図７】
2015119920.tif 000009
【図８】
2015119920.tif 000010
【図９】
2015119920.tif 000011
【図１０】
2015119920.tif 000012
【図１１】
2015119920.tif 000013
【図１２】
2015119920.tif 000014
【図１３】
2015119920.tif 000015
【図１４】
2015119920.tif 000016
【図１５】
2015119920.tif 000017